(57)【特許請求の範囲】
【請求項１】
上枠と左右の縦枠とを有した枠体と、この枠体に開閉可能に支持された少なくとも１枚の面材とを備え、浴室と脱衣室との出入り口に用いられる建具であって、
前記枠体には、前記左右の縦枠間にて上下に延びる縦骨が架設されるとともに、この縦骨と前記左右の縦枠の一方の縦枠との間に設けられる開口部と、前記縦骨と前記左右の縦枠の他方の縦枠との間に設けられる戸袋部とが形成され、この戸袋部には固定面材が支持され、
前記上枠は、前記左右の縦枠間に架設される第１上枠と、この第１上枠に沿って前記左右の縦枠間に架設される第２上枠と、前記開口部において前記第１上枠の浴室側に位置する第３上枠とを有して構成され、
前記一方の縦枠は、前記他方の縦枠に比べて見込み寸法が大きく設定されて前記他方の縦枠よりも浴室側に突出して設けられ、
前記縦骨は、前記第２上枠の浴室側に配置され、
前記戸袋部に支持された固定面材の浴室側には浴室壁が配置され、
前記第１上枠は、前記左右の縦枠間に延びる第１上枠本体と、前記戸袋部において前記第１上枠本体から下方に延びかつ前記固定面材の上端縁を保持する面材保持部と、この面材保持部に形成される第１係合部と、前記開口部において前記面材保持部が切除された切除部とを有して構成され、
前記第２上枠は、前記面材を左右に案内する上レールと、前記第１上枠本体と間隔を介して対向する延出面部と、この延出面部に形成されて前記第１係合部に係合される第１被係合部とを有して構成され、
前記第１上枠と第２上枠との間には、前記切除部を介して前記浴室と脱衣室とを連通させる換気経路が形成され、
前記第３上枠は、前記一方の縦枠と前記縦骨とに渡って架設される第３上枠本体と、前記第１上枠の切除部に係合される第２被係合部と、前記第２上枠の浴室側に所定の隙間を介して対向する垂下片部とを有して形成され、この垂下片部と前記第２上枠との隙間に前記換気経路が延長されかつ当該換気経路の浴室側開口が下向きに形成されている建具。
【請求項２】
前記上枠における第１上枠と第２上枠との間には、当該上枠の略全長に渡って前記換気経路を閉塞可能な弁部材が設けられ、この弁部材は、前記第１上枠本体に回動自在に支持されるとともに、前記第２上枠に当接することで前記換気経路を閉塞可能かつ浴室側に回動することで当該換気経路を開放可能に構成されている請求項１に記載の建具。
【請求項３】
前記第１上枠は、長手方向中間部が前記縦骨に支持され、
前記面材保持部は、前記第１上枠本体の浴室側端部から下方に延びて形成され、
前記第１係合部は、前記面材保持部の脱衣室側側面に形成され、
前記延出面部は、前記上レールよりも見込み方向浴室側に延びて形成され、
前記第１被係合部は、前記延出面部の浴室側端部に形成されている請求項１または請求項２に記載の建具。
【発明の詳細な説明】
【技術分野】
【０００１】
本発明は、浴室と脱衣室との出入り口に用いられる建具に関する。
【背景技術】
【０００２】
浴室出入り口用の建具として、建具枠と、この建具枠に開閉自在に支持された障子とを備え、上枠の内部に浴室と脱衣室とを連通させる換気経路が形成されたものが提案されている（例えば、特許文献１参照）。
特許文献１に記載された建具では、建具枠における上枠が複数の部材を組み合わせて中空状に形成され、この中空空間が換気経路とされるとともに、換気経路を閉塞または開放可能な弁部材が回動自在に上枠に支持されることで、障子を閉じていても脱衣室からの空気を浴室に取り込んで換気できるようになっている。
【先行技術文献】
【特許文献】
【０００３】
【特許文献１】特開２００８−２３１６６４号公報
【発明の概要】
【発明が解決しようとする課題】
【０００４】
しかしながら、特許文献１の建具における上枠は、上下に離隔して設けられる第１および第２上枠と、第１上枠の浴室側端部に係合しかつ第２上枠の浴室側に対向する第３上枠と、固定面材が設けられる戸袋側にて第１上枠の下側に係合される面材保持部材と、戸袋側にて第１上枠と第２上枠との隙間を閉鎖する閉鎖部材と、開口側にて第１上枠と第２上枠との隙間に開閉自在に設けられる換気弁とを有して構成され、第１〜第３上枠、面材保持部材および閉鎖部材の５種類の部材がそれぞれアルミ形材から形成されている。このため、上枠を構成する部材種別が多くなり、各部材の製造、加工および組み立てに要する手間のみならず、部材の在庫管理や配送等に要する手間も増加してしまうという不都合があった。また、従来の上枠では、第１および第２上枠の各々と縦骨の上端部とをビス止め固定することで、建具枠の剛性を確保する構造としているため、組み立てに要する手間がさらに増加してしまうという不都合もあった。
【０００５】
本発明の目的は、製造や組立等に要する手間を軽減しつつ枠体の剛性を確保することができる浴室出入り口用の建具を提供することにある。
【課題を解決するための手段】
【０００６】
本発明の建具は、上枠と左右の縦枠とを有した枠体と、この枠体に開閉可能に支持された少なくとも１枚の面材とを備え、浴室と脱衣室との出入り口に用いられる建具であって、前記枠体には、前記左右の縦枠間にて上下に延びる縦骨が架設されるとともに、この縦骨と前記左右の縦枠の一方の縦枠との間に設けられる開口部と、前記縦骨と前記左右の縦枠の他方の縦枠との間に設けられる戸袋部とが形成され、この戸袋部には固定面材が支持され、前記上枠は、前記左右の縦枠間に架設される第１上枠と、この第１上枠に沿って前記左右の縦枠間に架設される第２上枠と、前記開口部において前記第１上枠の浴室側に位置する第３上枠とを有して構成され、前記一方の縦枠は、前記他方の縦枠に比べて見込み寸法が大きく設定されて前記他方の縦枠よりも浴室側に突出して設けられ、前記縦骨は、前記第２上枠の浴室側に配置され、前記戸袋部に支持された固定面材の浴室側には浴室壁が配置され、前記第１上枠は、前記左右の縦枠間に延びる第１上枠本体と、前記戸袋部において前記第１上枠本体から下方に延びかつ前記固定面材の上端縁を保持する面材保持部と、この面材保持部に形成される第１係合部と、前記開口部において前記面材保持部が切除された切除部とを有して構成され、前記第２上枠は、前記面材を左右に案内する上レールと、前記第１上枠本体と間隔を介して対向する延出面部と、この延出面部に形成されて前記第１係合部に係合される第１被係合部とを有して構成され、前記第１上枠と第２上枠との間には、前記切除部を介して前記浴室と脱衣室とを連通させる換気経路が形成され、前記第３上枠は、前記一方の縦枠と前記縦骨とに渡って架設される第３上枠本体と、前記第１上枠の切除部に係合される第２被係合部と、前記第２上枠の浴室側に所定の隙間を介して対向する垂下片部とを有して形成され、この垂下片部と前記第２上枠との隙間に前記換気経路が延長されかつ当該換気経路の浴室側開口が下向きに形成されていることを特徴とする。
【０００７】
ここで、面材としては、四周框組みした内部にパネルを取り付けた障子であってもよく、また板状の部材から構成されたものでもよい。さらに、面材は、１枚で構成されてもよく、２枚以上の複数枚で構成されてもよい。また、上レールの数は１本に限らず、面材の枚数等に応じて複数本で構成されてもよい。
このような本発明によれば、第１上枠と第２上枠との間から切除部を介して浴室と脱衣室とを連通させる換気経路を形成したことで、この換気経路による浴室の換気を実施することができ、浴室の快適性を確保することができる。そして、第１上枠に面材保持部を形成するとともに、この面材保持部を切除して形成した切除部によって換気経路を構成することで、従来のように別体とした第１上枠と面材保持部材とを係合させる必要がなくなり、部材種別を少なくすることができ、製造や加工、組立に要する手間を軽減させることができる。
また、浴室側に設けた第３上枠の垂下片部によって、換気経路の浴室側開口を下向きに形成することで、浴室側に取り込む空気を下向きに流入させて面材に沿って浴室に導入することができ、利用者に直接当たらないようにして快適性を向上させることができる。さらに、換気経路の浴室側開口が下向きに形成されることで、浴室側から見た場合に換気経路が垂下片部によって覆われることになり、換気経路への水の浸入が防止できるとともに、利用者から換気経路が見えないことで浴室側からの意匠性も良好にすることができる。
【０００８】
この際、本発明の建具では、前記上枠における第１上枠と第２上枠との間には、当該上枠の略全長に渡って前記換気経路を閉塞可能な弁部材が設けられ、この弁部材は、前記第１上枠本体に回動自在に支持されるとともに、前記第２上枠に当接することで前記換気経路を閉塞可能かつ浴室側に回動することで当該換気経路を開放可能に構成されていることが好ましい。
ここで、弁部材は、重力によって閉塞側に回動しかつ浴室の換気扇等による負圧によって開放側に回動するものであってもよいし、手動によって回動されるものであってもよいし、さらには適宜な駆動手段によって回動されるものであってもよい。
このような構成によれば、上枠の略全長に渡って弁部材を設ける、すなわち換気経路の脱衣室側開口の略全幅を弁部材で覆うことで、脱衣室側から換気経路内部を見えなくすることができ、建具の意匠性を高めることができるとともに、浴室に向かって吸気側となる脱衣室側の開口幅を拡げることができる。さらに、上枠の略全長に渡って弁部材を設けることで、従来のように別体とした閉鎖部材が不要にでき、部材種別をさらに少なくして製造や組立に要する手間をより一層軽減させることができる。
【０００９】
さらに、本発明の建具では、前記第１上枠は、長手方向中間部が前記縦骨に支持され、前記面材保持部は、前記第１上枠本体の浴室側端部から下方に延びて形成され、前記第１係合部は、前記面材保持部の脱衣室側側面に形成され、前記延出面部は、前記上レールよりも見込み方向浴室側に延びて形成され、前記第１被係合部は、前記延出面部の浴室側端部に形成されていることが好ましい。
このような構成によれば、第１上枠の中間部が縦骨に支持されるとともに、第１上枠の第１係合部に第２上枠の第１被係合部を係合させることで、第１および第２の上枠を縦骨で支持して上枠の強度を高めることができ、枠体の剛性を確保することができる。また、第１係合部および第１被係合部は、開閉可能に支持された面材と固定面材との間の部分を利用して形成されているため、見込み方向においてコンパクトな上枠とすることができる。
【図面の簡単な説明】
【００１１】
【図１】本発明に係る浴室出入り口用の建具を示す横断面図である。
【図２】前記建具の縦断面図であり、図１に矢視II−II線で示す断面図である。
【図３】前記建具の縦断面図であり、図１に矢視III−III線で示す断面図である。
【図４】前記建具の上枠周辺を拡大して示す縦断面図である。
【図５】前記建具の上枠および縦骨周辺を示す斜視図である。
【図６】前記上枠および縦骨周辺を示す斜視図である。
【図７】前記上枠の一部を省略して示す斜視図である。
【発明を実施するための形態】
【００１２】
以下、本発明の実施形態に係る浴室出入り口用の建具としての片引き戸１を図面に基づいて説明する。
図１〜図３において、片引き戸１は、繊維強化プラスチック製の浴槽（不図示）や浴室床（防水パン）、浴室壁Ｗ等からなる浴室ユニットで構成された浴室と、この浴室に隣接して洗面台や洗濯パン等（不図示）が設置される脱衣室との出入り口に用いられる建具である。この片引き戸１は、上枠２、下枠３および左右の縦枠４，５を枠組みした枠体としての建具枠６と、この建具枠６の内部に片引き形式に開閉可能に支持された１枚の面材である障子１０とを備えて構成されている。
【００１３】
建具枠６の上枠２、下枠３および縦枠４，５は、脱衣室の床材Ｆや三方の額縁材Ｇ等の建物側内装部材に固定され、当該建具枠６の中間部における上枠２と下枠３との間には、上下に延びる縦骨７が架設されている。従って、建具枠６には、一方（図１の左側）の縦枠４、下枠３、縦骨７および上枠２で囲まれるとともに障子１０を開放した際に出入り用の開口となる開口部６Ａと、他方（図１の右側）の縦枠５、下枠３、縦骨７および上枠２で囲まれるとともに開放した障子１０を収納する戸袋部６Ｂとが形成され、戸袋部６Ｂには、固定面材としての樹脂パネル８が設けられている。
【００１４】
障子１０は、上框１１、下框１２および左右の縦框１３，１４を四周框組みした内部に樹脂パネル１５を嵌めこんで構成されている。そして、一方（図１の左側）の縦框１３（戸先框）には、障子１０を開閉操作するためのハンドル１６が固定されている。このような障子１０は、上枠２に設けられた上レール２Ａと下枠３に設けられた下レール３Ａとに、それぞれ上框１１と下框１２とが案内されて左右にスライド開閉できるようになっている。そして、障子１０の閉鎖状態において、縦框１３が気密材４Ａを介して縦枠４に当接するとともに、縦框１４がモヘア７Ａに当接しかつ係合片７Ｂ，１４Ａ同士が係合し、さらに上框１１がモヘア１１Ａを介して上枠２の上レール２Ａに当接するとともに、下框１２が気密材３Ｂを介して下枠３に当接することで、浴室と脱衣室との間の止水性が確保されるようになっている。
【００１５】
次に、建具枠６における上枠２の構造について、図４〜図７も参照して詳しく説明する。なお、図７は、上枠２から第２上枠２２の図示を省略したものである。
上枠２は、それぞれアルミ形材製の第１上枠２１、第２上枠２２および第３上枠２３を有して構成され、第１上枠２１は、左右の縦枠４，５間に架設されるとともに当該第１上枠２１の中間部が縦骨７に支持され、第２上枠２２は、上レール２Ａを有するとともに第１上枠２１の下側に沿って左右の縦枠４，５間に架設され、第３上枠２３は、開口部６Ａにおいて第１上枠２１の浴室側に対向するとともに縦枠４と縦骨７との間に架設されている。さらに、上枠２は、第１上枠２１と第２上枠２２との間に設けられて後述する切除部２１４を介して浴室と脱衣室とを連通させる換気経路２４と、当該上枠２の略全長に渡って設けられて換気経路２４を開閉可能な弁部材としての換気弁２５とを有して構成されている。
【００１６】
第１上枠２１は、上辺の額縁材Ｇに固定される固定片部２１１と、この固定片部２１１から浴室側に延びる見込み片部２１２と、見込み片部２１２の浴室側端部から下方に延びて樹脂パネル８の上端縁を保持する面材保持部２１３とを有し、開口部６Ａにおいて面材保持部２１３が切除された切除部２１４が形成されている。そして、固定片部２１１と見込み片部２１２とは、左右の縦枠４，５間に渡って設けられ、これらの固定片部２１１および見込み片部２１２を有して第１上枠本体２１Ａが構成されている。また、面材保持部２１３は、戸袋部６Ｂにおいて縦枠５と縦骨７とに渡って設けられ、面材保持部２１３の縦骨７側の端部が縦骨７の脱衣室側側面７Ｃにビス止め固定されている。面材保持部２１３には、下方に開口して樹脂パネル８の上端縁を保持する保持溝２１５と、この保持溝２１５よりも脱衣室側にて断面略Ｔ字形を有し第２上枠２２と係合可能な第１係合部２１６とが設けられている。また、見込み片部２１２には、その下面にて下方に開口し換気弁２５を回動自在に支持するポケット２１７と、浴室側端部にて切除部２１４として切除されずに面材保持部２１３の一部が残されて第３上枠２３と係合可能な第２係合部２１８とが設けられている。
【００１７】
第２上枠２２は、上レール２Ａを含んで上下に延びる見付け面部２２１と、この見付け面部２２１よりも見込み方向浴室側に延びる中空部２２２とを有して形成されている。見付け面部２２１の上端部には、中空部２２２よりも上方に突出した突出片部２２３が形成されている。中空部２２２には、その上面にて第１上枠２１の見込み片部２１２下方に所定間隔を介して対向する延出面部２２４と、この延出面部２２４の下方に対向する底面部２２５と、当該中空部２２２の浴室側端部にて開口するＣ字溝状を有し第１係合部２１６に係合される第１被係合部２２６とが形成されている。このような第２上枠２２は、上枠２の長手方向に沿って第１被係合部２２６に第１係合部２１６をスライド挿入して係合させることで、第１上枠２１と連結されるようになっている。そして、第２上枠２２の突出片部２２３上端縁と第１上枠２１の見込み片部２１２との隙間によって、換気経路２４の脱衣室側開口２４１が形成され、この脱衣室側開口２４１が換気弁２５によって開閉可能に構成されている。
【００１８】
第３上枠２３は、第１上枠２１の第２係合部２１８に係合されて取り付けられるアタッチメントであり、脱衣室側に開口した断面略Ｃ字形の第３上枠本体２３１と、この第３上枠本体２３１から下方に延びて第２上枠２２の中空部２２２に所定の隙間を介して対向する垂下片部２３２と、この垂下片部２３２から脱衣室側に延びて第２係合部２１８に係合される第２被係合部２３３とを有して形成されている。第２被係合部２３３は、その先端部にて脱衣室側に開口するＣ字溝状の断面を有し、上枠２の長手方向に沿って第２被係合部２３３に第２係合部２１８をスライド挿入して係合させることで、第３上枠２３が第１上枠２１と連結されるようになっている。このような第３上枠２３の垂下片部２３２と第２上枠２２の底面部２２５および見付け面部２２１との隙間によって、換気経路２４の浴室側開口２４２が下方に開口して形成されている。
【００１９】
以上の上枠２によれば、換気経路２４の脱衣室側開口２４１は、第１上枠２１のポケット２１７に回動自在に支持された換気弁２５によって開閉されるようになっている。この換気弁２５は、脱衣室と浴室との気圧差によって開閉するもので、つまり脱衣室と浴室との気圧差がない場合には、換気弁２５の下端部が突出片部２２３に当接して脱衣室側開口２４１が閉鎖されるように構成されている。一方、障子１０を閉じた状態で浴室の排気ファン等を駆動して浴室の気圧が下がった場合には、図４に二点鎖線で示すように、換気弁２５の下端部が浴室側に回動して脱衣室側開口２４１が開放され、脱衣室側から換気経路２４内部に流入した空気が第１上枠２１の切除部２１４を通って第３上枠２３側に流れるとともに、第３上枠２３の垂下片部２３２に沿って下降し、浴室側開口２４２から浴室内部に供給され、これによって浴室の換気が行われるようになっている。
【００２０】
このような本実施形態によれば、以下のような効果がある。
すなわち、開口部６Ａにおいて第１上枠２１の面材保持部２１３を切除して切除部２１４を形成し、この切除部２１４を介した換気経路２４によって浴室と脱衣室とを連通させることで、開口部６Ａと戸袋部６Ｂとで別部材を用いなくてもよくなり、上枠２を構成する部材種別を少なくして製造や加工、組立に要する手間を軽減させることができる。そして、第１上枠２１の第１係合部２１６と第２上枠２２の第１被係合部２２６とを係合させるとともに、第１上枠２１の第２係合部２１８と第３上枠２３の第２被係合部２３３とを係合させて上枠２が組み立てられることで、上枠２の剛性や強度を高めることができ、建具枠６全体の剛性を確保しつつ組立時の固着箇所を削減することができる。
【００２１】
なお、本発明は前記実施形態の構成に限定されるものではない。
例えば、前記実施形態では、浴室出入り口用の建具として、片引き戸１を例示して説明したが、本発明の建具は、１枚の面材（障子）を有したものに限らず、２枚以上の面材が片引き形式に開閉自在に支持されたものでもよく、２枚の面材が各々逆方向に片引き形式に支持されて左右両側に面材収納部が形成された引き分け開放形式のものでもよい。また、可動面材（可動障子）の枚数が複数枚ある場合には、その枚数に応じて上レールが複数本設けられていればよい。
また、第１上枠２１の第１係合部２１６と第２上枠２２の第１被係合部２２６との係合形状は実施形態に限らず、第１係合部２１６をＣ字溝状とし、第１被係合部２２６を断面略Ｔ字形としてもよい。これと同様に、第１上枠２１の第２係合部２１８をＣ字溝状とし、第３上枠２３の第２被係合部２３３を断面略Ｔ字形としてもよい。さらに、係合部および被係合部の形状は、前述した形状以外であっても構わない。
【００２２】
また、前記実施形態では、上枠２の略全長に渡って弁部材としての換気弁２５を設けたが、これに限らず、例えば、開口部６Ａにおける第１上枠２１と第２上枠２２との間に弁部材を設け、戸袋部６Ｂにおける第１上枠２１と第２上枠２２との間に開閉不能な閉塞部材を設けてもよいし、この閉塞部材に代えて、第１上枠２１や第２上枠２２と一体の閉塞片部を設けて脱衣室側開口２４１を閉塞してもよい。また、逆に、戸袋部６Ｂ側に弁部材を設け、開口部６Ａ側に閉塞部材や閉塞片部等を設けてもよい。
また、前記実施形態では、第１上枠２１の切除部２１４を開口部６Ａの内法全幅つまり縦枠４と縦骨７との間隔全体に設けたが、切除部２１４の幅寸法としては、開口部６Ａの内法幅の範囲で任意に設定することが可能であり、必要な換気量に応じて適宜に設定することができる。
【００２３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２４】
１…建具である片引き戸、２…上枠、２Ａ…上レール、３…下枠、４，５…縦枠、６…枠体である建具枠、６Ａ…開口部、６Ｂ…戸袋部、７…縦骨、８…樹脂パネル（固定面材）、１０…面材である障子、２１…第１上枠、２１Ａ…第１上枠本体、２２…第２上枠、２３…第３上枠、２４…換気経路、２５…換気弁（弁部材）、２１３…面材保持部、２１４…切除部、２１６…第１係合部、２１８…第２係合部、２２４…延出面部、２２６…第１被係合部、２３１…第３上枠本体、２３２…垂下片部、２３３…第２被係合部、２４２…浴室側開口。
【図１】
0005419785.tif 000002
【図２】
0005419785.tif 000003
【図３】
0005419785.tif 000004
【図４】
0005419785.tif 000005
【図５】
0005419785.tif 000006
【図６】
0005419785.tif 000007
【図７】
0005419785.tif 000008